(57)【要約】【課題】  本体に対して蓋体を摺動させる際に、摺動面への擦れを減少させ、傷、塗装剥がれ等を抑える。【解決手段】  電池収納部材に対して回動可能に配置された蓋体は、電池収納部を開放する第１の状態と、電池収納部を閉鎖して電池収納部材に形成された第１の係合爪と蓋体に形成された第２の係合爪とが係合しない第２の状態と、電池収納部を閉鎖して第１の係合爪と第２の係合爪とが係合する第３の状態になり、蓋体を第１の状態から第２の状態とするときに、蓋体が電池収納部材に隣接して配置される外装部材に当接することなく、蓋体に形成される当接部が電池収納部材に形成される摺動面に当接し、蓋体を第２の状態から第３の状態とするときに、蓋体をスライドさせることで、当接部と摺動面との当接位置が変化して、第１の係合爪と前記第２の係合爪とを係合させる。【選択図】  図５
2014232162.tif 000002
【特許請求の範囲】
【請求項１】
電池収納部及び第１の係合爪が形成される電池収納部材と、
前記電池収納部材に隣接して配置される外装部材と、
前記電池収納部材に対して回動可能に配置され、前記第１の係合爪に係合可能な第２の係合爪が形成される蓋体とを有する電子機器であって、
前記蓋体は、前記電池収納部を開放する第１の状態と、前記電池収納部を閉鎖して前記第１の係合爪と前記第２の係合爪とが係合しない第２の状態と、前記電池収納部を閉鎖して前記第１の係合爪と前記第２の係合爪とが係合する第３の状態になり、
前記蓋体を前記第１の状態から前記第２の状態とするときに、前記蓋体が前記外装部材に当接することなく、前記蓋体に形成される当接部が前記電池収納部材に形成される摺動面に当接し、
前記蓋体を前記第２の状態から前記第３の状態とするときに、前記蓋体をスライドさせることで、前記当接部と前記摺動面との当接位置が変化して、前記第１の係合爪と前記第２の係合爪とを係合させることを特徴とする電子機器。
【請求項２】
前記当接部には第１の斜面が形成され、前記蓋体を前記第２の状態から前記第３の状態とするときに、前記蓋体をスライドさせることで、前記第１の斜面が前記摺動面に当接することで前記当接部と前記摺動面との当接位置が変化することを特徴とする請求項１に記載の電子機器。
【請求項３】
前記第１及び前記第２の係合爪には、それぞれの先端部に第２及び第３の斜面が形成され、
前記第２の状態において、前記蓋体のスライド方向に対する前記第１の斜面の傾斜角度を、前記蓋体のスライド方向に対する前記第２及び第３の斜面の傾斜角度以上の大きさにすることを特徴とする請求項２に記載の電子機器。
【請求項４】
前記摺動面は、前記第１の係合爪に形成されることを特徴とする請求項１ないし３のいずれか１項に記載の電子機器。
【請求項５】
前記電池収納部は、当該電池収納部に収納された電池を排出方向へ付勢するバネを有することを特徴とする請求項１ないし４のいずれか１項に記載の電子機器。
【請求項６】
前記第２の状態において前記摺動面と当接する前記当接部の部分は、前記摺動面と平行な面であることを特徴とする請求項１ないし５のいずれか１項に記載の電子機器。
【発明の詳細な説明】
【技術分野】
【０００１】
本発明は、回動及び摺動可能な蓋体を有する電子機器に関するものである。
【背景技術】
【０００２】
従来、デジタルカメラやビデオカメラのような電子機器には、例えば充電池や外部メモリ等が収納可能な収納部が設けられており、更にこの収納部を覆うように蓋体が設けられている。このような蓋体には、本体に対して回動動作及び摺動動作が可能なように支持されるものがある（特許文献１）。
【先行技術文献】
【特許文献】
【０００３】
【特許文献１】特開２００７−２５８１９８号公報
【発明の概要】
【発明が解決しようとする課題】
【０００４】
しかしながら、特許文献１に記載された構成では、蓋体を本体に対して摺動させる際に、抑えつけるような力を加えながら摺動させると摺動面に過度な力が加わることがある。特に、摺動面が外観の一部として塗装されている場合、過度な力により摺動面が擦れてしまい、傷、塗装剥がれ等が発生し、美観を著しく損なう可能性がある。
【０００５】
そこで、本発明は、本体に対して蓋体を摺動させる際に、摺動面への擦れを減少させ、傷、塗装剥がれ等を抑えることを目的とする。
【課題を解決するための手段】
【０００６】
上記目的を達成するために、本発明に係る電子機器は、電池収納部および第１の係合爪が形成される電池収納部材と、前記電池収納部材に隣接して配置される外装部材と、前記電池収納部材に対して回動可能に配置され、前記第１の係合爪に係合可能な第２の係合爪が形成される蓋体とを有する電子機器において、前記蓋体は、前記電池収納部を開放する第１の状態と、前記電池収納部を閉鎖して前記第１の係合爪と前記第２の係合爪とが係合しない第２の状態と、前記電池収納部を閉鎖して前記第１の係合爪と前記第２の係合爪とが係合する第３の状態になり、前記蓋体を前記第１の状態から前記第２の状態とするときに、前記第２の係合爪が前記外装部材に当接することなく、前記蓋体に形成される当接部が前記電池収納部材に形成される摺動面に当接し、前記蓋体を前記第２の状態から前記第３の状態とするときに、前記蓋体をスライドさせることで、前記当接部と前記摺動面との当接位置が変化して、前記第１の係合爪と前記第２の係合爪とを係合させることを特徴とする。
【発明の効果】
【０００７】
本発明によれば、本体に対して蓋体を摺動させる際に、摺動面への擦れを減少させ、傷、塗装剥がれ等を抑えることができる。
【図面の簡単な説明】
【０００８】
【図１】本発明の実施形態であるデジタルカメラの外観図である。
【図２】蓋体８ａの電池収納部１０ｂを解放する第１の状態を、カメラ本体１の底面側を上面にして、正面から見た図である。
【図３】蓋体８ａを前記第１の状態から電池収納部１０ｂ側へ突き当たるまで回動させた状態である第２の状態を、カメラ本体１の底面側から見た図である。
【図４】図３のＡ−Ａ断面図であり、図４（ａ）は、第２の状態におけるＡ−Ａ断面図、図４（ｂ）は第３の状態におけるＡ−Ａ断面図である。
【図５】第１、第２の係合爪１２ｂ、１３ａの周辺の拡大図である。
【発明を実施するための形態】
【０００９】
以下、本発明の実施形態について図面を参照して説明する。
【００１０】
図１は、本発明の実施形態であるデジタルカメラの外観図を示している。図１において、１はカメラ本体であり、カメラ本体１の前面には撮影レンズ２が設けられている。図１の状態では撮影レンズ２はカメラ本体１内に沈胴している。電源スイッチ３をオンすると撮影レンズ２がカメラ本体１から突出して撮影が可能な状態となる。
【００１１】
４はカメラ本体１に回動可能に支持されたズームレバーである。ズームレバー４を回動させることにより、撮影レンズ２を広角側または望遠側へと移動させて所望なズーム倍率（撮像範囲）に変更することができる。また、撮影レンズ２を移動させる光学ズーム以外に電子ズームが可能な場合には、ズームレバー４を回動させることにより光学ズームの場合と同様に電子ズームのズーム倍率を変更することができる。
【００１２】
そして、レリーズボタン５を押下することにより、不図示の撮像素子（ＣＣＤやＣＭＯＳセンサ等）により撮像され、カメラ本体１内に装填された半導体メモリ等の記録媒体に撮影画像が記録される。
【００１３】
６は音声入力用のマイクである。マイク６からの音声データは、画像データと合わせて記録媒体に記録することができる。また、カメラ本体１の上面には、操作音や音声再生用スピーカー７が設けられており、記録媒体に保存されている音声を再生したり、不図示のメモリに予め記録されている操作音などが再生できる。
【００１４】
カメラ本体１の背面には、不図示の表示部として液晶ディスプレイが設けられている。この表示部には、撮像する被写体の画像や撮像された画像、あるいは各種メニュー画面が表示される。
【００１５】
カメラ本体１の底面には、カメラ本体１に対して開閉可能な蓋体８ａが設けられている。この蓋体８ａを開けた内部には電池収納部１０ｂが構成されており、蓋体８ａを開けることによって、電池をカメラ本体１内に装填することができる。
【００１６】
次に、図２乃至５を用いて蓋体８ａ及びその周辺の詳細について説明する。
【００１７】
図２は、蓋体８ａの電池収納部１０ｂを開放する第１の状態を、カメラ本体１の底面側を上面にして、正面から見た図である。この第１の状態にて電池収納部１０ｂへの電池の脱着が可能となっている。８ｂは蓋体８ａの回動軸であり、回動軸８ｂを回動中心として蓋体８ａが回動可能となっている。９ａは外装部材であり、この内側に電池収納部１０ｂが構成されている。
【００１８】
図３は、蓋体８ａを前記第１の状態から電池収納部１０ｂ側へ突き当たるまで回動させた状態である第２の状態を、カメラ本体１の底面側から見た図である。８ｃは蓋体８ａのロックレバーであり、蓋体８ａが閉状態にある時には容易に開かないようにロック状態にある。蓋体８ａを開く際にはロックレバー８ｃを矢印Ｌの方向へスライドさせて解除操作してから開くことが可能となっており、本図では解除位置にスライドされた状態となっている。
【００１９】
図４は、図３のＡ−Ａ断面図であり、図４（ａ）は、第２の状態におけるＡ−Ａ断面図、図４（ｂ）は後述する第３の状態におけるＡ−Ａ断面図を示している。
【００２０】
１０ａは電池収納部材であり、隣接する外周に外装部材９ａが配置されている。１２ａは摺動面、１２ｂは第１の係合爪であり、それぞれ電池収納部材１０ａに形成されている。１１ａは当接部、１３ａは第１の係合爪１２ｂと係合可能な第２の係合爪であり、蓋体８ａに形成されている。９ｂは蓋体８ａが閉じた際に当接する外装部材９ａの外装部材当接部である。１３ｃは外装部材当接部９ｂと当接する蓋体８ａの蓋体当接部である。なお、外装部材当接部９ｂ及び蓋体当接部１３ｃは、蓋体８ａを閉じた状態では外部に露出しないが、外観の一部として塗装されている。
【００２１】
図４（ａ）に示す第２の状態において、摺動面１２ａに当接部１１ａが当接することにより、蓋体当接部１３ｃと外装部材当接部９ｂとの間に十分な間隔が確保されている。すなわち、蓋体８ａが第１の状態から第２の状態へ移行するとき、蓋体当接部１３ｃが外装部材当接部９ｂに当接することなく、蓋体８ａに形成される当接部１１ａが電池収納部材１０ａに形成される摺動面に当接する。なお、この第２の状態では、電池収納部１０ｂを閉鎖して第１の係合爪１２ｂと第２の係合爪１３ａとは係合していない。
【００２２】
ここで、図４（ａ）中の矢印Ｐは蓋体８ａを電池収納部１０ｂ側へ押しつける方向を示しており、矢印Ｓは第２の状態から蓋体８ａを閉じるためにスライドさせる方向を示している。
【００２３】
図４（ｂ）に示す第３の状態は、蓋体８ａを第２の状態から、Ｐ方向へ押さえながらＳ方向へスライドさせることにより、当接部１１ａが摺動面１２ａから脱落し、第１、第２の係合爪１２ｂ、１３ａがそれぞれ係合した状態である。すなわち、蓋体８ａが第２の状態から第３の状態へ移行するとき、蓋体８ａをスライドさせることで、当接部１１ａと摺動面１２ａとの当接位置が変化して、第１の係合爪１２ｂと第２の係合爪１３ａとを係合させる。
【００２４】
ここで、蓋体８ａをＳ方向にスライドさせる際に、第１、第２の係合爪１２ｂ、１３ａを係合させるためにＰ方向へ蓋体８ａを押さえながらスライドさせるが、第１、第２の係合爪１２ｂ、１３ａを係合させることを意識してＰ方向へ過度な力を加えることがある。例えば、蓋体８ａを第１の状態にした際に電池収納部材１０ａ内に収納された電池を取り出しやすくするために、蓋体８ａと反対側に電池を排出するバネが設けられているものがある。特に収納されている電池が乾電池の場合には、電池を電池収納部材１０ａへ固定する手段を設けず、蓋体８ａ側に設けた端子と、バネを端子として構成することにより電池を挟持し、通電及び保持する構成がよく用いられる。このような構成の場合、バネが電池を蓋体８ａの方向（排出方向）へ付勢することになるため、蓋体８ａをＳ方向にスライドさせる際に、バネの付勢力より大きな力を蓋体８ａに加える必要があり、Ｐ方向へ過度な力を加えやすい。
【００２５】
しかし、第１、第２の係合爪１２ｂ、１３ａが係合する直前までは当接部１１ａが摺動面１２ａと当接しているため、外装部材当接部９ｂと蓋体当接部１３ｃとは当接しない。そのため、蓋体８ａをＳ方向にスライドさせる際にＰ方向に過度な力が加えられたとしても、外装部材当接部９ｂや蓋体当接部１３ｃに塗装剥がれや、傷付き等を発生させずに前記蓋体８ａをスライドさせることができる。
【００２６】
図５は、第１、第２の係合爪１２ｂ、１３ａの周辺の拡大図である。１１ｂは当接部１１ａに形成された第１の斜面である。蓋体８ａを第２の状態から第３の状態へスライドさせる際に、第１の斜面１１ｂが摺動面１２ａと当接することで、滑らかに蓋体８ａをスライドさせることができる。１２ｃは第１の係合爪１２ｂの先端部に形成された第２の斜面、１３ｂは第２の係合爪１３ａの先端部に形成された第３の斜面である。ここで、蓋体８ａの状態が第２の状態であるとき、摺動面１２ａを含む基準面（蓋体８ａのスライド方向）と、第１の斜面１１ｂとが成す傾斜角度をθ１、第２の斜面１２ｃとが成す傾斜角度をθ２、第３の斜面１３ｂとが成す傾斜角度をθ３とする。
【００２７】
これらの角度の関係は、θ１≧θ２＝θ３となっている。すなわち、摺動面１２ａを含む基準面と第１の斜面１１ｂとが成す傾斜角度は、基準面と第２の斜面１２ｃとが成す傾斜角度、及び、基準面と第３の斜面１３ｂとが成す傾斜角度以上である。また、蓋体８ａのスライド方向における、第２の係合爪１３ａの先端部と第１の斜面１１ｂの摺動面１２ａ側の端との間隔は、第１の係合爪１２ｂの先端部と第１の係合爪１２ｂの根元側の摺動面１２ａの端との間隔とほぼ等しい。
【００２８】
この関係によって、蓋体８ａを第２の状態から第３の状態へスライドさせる際に、第１の係合爪１２ｂの先端部と第２の係合爪１３ａの先端部とが衝突することを防止できる。
【００２９】
さらに、第１の係合爪１２ｂと、第２の係合爪１３ａが当接する直前まで当接部１１ａを摺動面１２ａと当接させておくことが可能である。そのため、外装部材当接部９ｂと蓋体当接部１３ｃが擦れる範囲を可能な限り減らすことができる。
【００３０】
また、摺動面１２ａを蓋体８ａの回動軸側に設けた場合、第２の状態においてＳ方向に過度な力が加わると摺動面１２ａを支点にして蓋体８ａが曲がって破損する恐れがあるため、摺動面１２ａを蓋体８ａの先端側に設けることが好ましい。特に、上記の実施形態のように、摺動面１２ａを第１の係合爪１２ｂの上面に形成することにより、他の場所に摺動面１２ａを設けるよりもスペースを効率的に利用することができる。
【００３１】
また、蓋体８ａが第２の状態にあるとき、当接部１１ａの摺動面１２ａと当接する面が、摺動面１２ａと平行となっているため、蓋体８ａをスライドさせる際に摺動面１２ａへの傷付き等を減少させることができる。
【００３２】
また、上記の実施形態では当接部の摺動面と当接する部分の形状は、第１の摺動面と平行な面としているが、特に平行な面に限定されるものではない。例えば、略半円筒状なものや球形なものなど、摺動面と当接させるに適した様々な形状がある。
【００３３】
また、上記の実施形態では、本発明を適用した電子機器の一例としてデジタルカメラを示したが、回動及び摺動可能な蓋体を有する電子機器であれば、外付けストロボなど他の電子機器に本発明を適用してもよい。
【符号の説明】
【００３４】
１  カメラ本体
８ａ  蓋体
８ｂ  回動軸
９ａ  外装部材
９ｂ  外装部材当接部
１０ａ  電池収納部材
１１ａ  当接部
１１ｂ  第１の斜面
１２ａ  摺動面
１２ｂ  第１の係合爪
１２ｃ  第２の斜面
１３ａ  第２の係合爪
１３ｂ  第３の斜面
１３ｃ  蓋体当接部
【図１】
2014232162.tif 000003
【図２】
2014232162.tif 000004
【図３】
2014232162.tif 000005
【図４】
2014232162.tif 000006
【図５】
2014232162.tif 000007